(57)【要約】      （修正有）【課題】コスト増を抑えた上で、トレイへのカードの容易載置とショート防止を実現するカードコネクタを提供する。【解決手段】カードコネクタは、トレイを備えている。トレイは、枠体３４と板体３５を有する。板体３５は、さらに、支持部３５１と覆い部３５２を有する。支持部３５１は、枠体３４から内側に広がり、カード下面の周縁領域に接してその周縁領域を支持する。覆い部３５２は、メモリカード１００の下面から離間して支持部３５１からさらに内側に広がり、メモリカード１００の下面の、その周縁領域に隣接する周縁隣接領域を覆う。そして、この板体３５は、メモリカード１００の下面の、周縁隣接領域よりも内側の中央領域を露出させてコンタクトをメモリカード１００の下面のパッド１０１に接触させる開口３６を形成している。【選択図】図６
0003186801.tif 000002
【実用新案登録請求の範囲】
【請求項１】
ハウジングと、
電気的な接続を担うパッドを下面に有するカードを載せて、前記ハウジングに差し込まれた差込位置と該ハウジングから押し出された押出位置との間でスライドするトレイと、
前記ハウジングに保持されて、前記差込位置にある前記トレイに載せられたカード下面のパッドに接触するコンタクトとを備え、
前記トレイが、
前記カードの側面を取り巻く枠体と、
前記枠体から内側に広がり、カード下面の周縁領域に接して該周縁領域を支持する支持部と、該カード下面から離間して該支持部からさらに内側に広がり、該カード下面の、該周縁領域に隣接する周縁隣接領域を覆う覆い部とを有し、該カード下面の、該周縁隣接領域よりも内側の中央領域を露出させて前記コンタクトを該カード下面のパッドに接触させる開口が形成された板体とを有することを特徴とするカードコネクタ。
【請求項２】
前記板体が金属材料からなることを特徴とする請求項１記載のカードコネクタ。
【考案の詳細な説明】
【技術分野】
【０００１】
本考案は、メモリカード等のカードを載せるトレイを備え、トレイに載せたカードを差し込んでカードにアクセスするカードコネクタに関する。
【背景技術】
【０００２】
メモリカード等のカードが差し込まれてその差し込まれたカードにアクセスするカードコネクタが広く用いられている。
【０００３】
このカードコネクタには、大別してカードをハウジングに直接に差し込むタイプと、カードをトレイに載せそのトレイを差し込むことによりカードを差し込むタイプとがある。トレイを用いると、そのトレイの外壁面をそのカードコネクタを搭載した機器の外壁面の一部として使うことができ、意匠上優れていることから、このトレイを使うタイプも広く採用されている。
【０００４】
近年、メモリカード等のカードの小型化が進み、それに伴ってカードコネクタも益々小型化、低背化されてきている。このため、小型のカードを載せるトレイは樹脂製では強度不足となり金属製のトレイが使われている。
【０００５】
ここで、カードコネクタに差し込まれるカードには、その下面に、カードコネクタに差し込まれたときにそのカードコネクタのコンタクトに接触して電気的に接続されるパッドが形成されている。
【０００６】
このようなカードのうちの、あるメモリカードの規格について紹介する。そのメモリカード下面に形成されるパッドは、規格上、最小限の面積とその形成位置が定められている。これに対応して、そのメモリカードが差し込まれるカードコネクタには、その規格上の位置に最小限の面積のパッドが形成されていれば、そのパッドに確実に接触するように、コンタクトが配置されている。
【０００７】
ところがカードの規格では、パッドについて最小限の面積が定められているだけであって、パッドがそれ以上の面積を有することは許容されている。規格上、カード下面のパッドが形成されることのない領域は、縁から僅か０．２ｍｍ幅の周縁領域のみである。
【０００８】
一方、カードコネクタのトレイは、コンタクトをメモリカード下面のパッドに接触させるために中央に大きな開口を有し、メモリカード下面の周縁近傍の領域のみ載せる形状となっている。
【０００９】
上述の通り、強度の点から金属製のトレイが使用されている。この金属製のトレイがパッドに接触するとショートするおそれがあるため、上記の規格でいうと、メモリカードを、そのメモリカード下面の縁から僅か０．２ｍｍ以内の極く狭い領域しか載せることができない。
【００１０】
メモリカードをトレイに載せる作業は主に、そのカードコネクタが組み込まれたユーザによって行なわれる。トレイのカード載置領域がこのような狭い幅しかないとメモリカードが中央の開口から落ちてしまいがちであるので、メモリカードをトレイに正確に載せるのが難しい。
【００１１】
ここで、トレイの開口は、規格上の最小限の面積の部分のみで足りることから、メモリカードが載る領域の幅を広げ、パッドと接触し得る領域に絶縁コーティングを施した非導電部を設けることが提案されている（特許文献１）。
【００１２】
この非導電部を設けると、メモリカードをトレイに容易に載せることができ、かつ、パッドとのショートも防止される。
【先行技術文献】
【特許文献】
【００１３】
【特許文献１】米国特許出願公開第２０１１／０２５５２５２号明細書
【考案の概要】
【考案が解決しようとする課題】
【００１４】
しかしながら、上掲の特許文献１に開示されているように非導電部を設けると、絶縁コーティングを施す工程が追加されることになり、コスト高となる。
【００１５】
本考案は、上記事情に鑑み、コスト増を抑えた上で、トレイへのカードの容易載置とパッドとのショート防止を実現したカードコネクタを提供することを目的とする。
【課題を解決するための手段】
【００１６】
上記目的を達成する本考案のカードコネクタは、
ハウジングと、
電気的な接続を担うパッドを下面に有するカードを載せて、ハウジングに差し込まれた差込位置とハウジングから引き出された引出位置との間でスライドするトレイと、
上記ハウジングに保持されて、差込位置にあるトレイに載せられたカード下面のパッドに接触するコンタクトとを備え、
上記トレイが、
カードの側面を取り巻く枠体と、
その枠体から内側に広がり、カード下面の周縁領域に接してその周縁領域を支持する支持部と、カード下面から離間して支持部からさらに内側に広がり、カード下面の、その周縁領域に隣接する周縁隣接領域を覆う覆い部とを有し、カード下面の、周縁隣接領域よりも内側の中央領域を露出させてコンタクトをカード下面のパッドに接触させる開口が形成された板体とを有することを特徴とする。
【００１７】
ここで、本考案のカードコネクタにおいて、上記板体が金属材料からなることが好ましい。
【００１８】
本考案のカードコネクタによれば、そのトレイの板体が、カード下面の周縁領域を支える支持部を有し、さらに、その支持部内側にカード下面とは接触しないで、カード下面の、周縁領域に隣接する周縁隣接領域を覆う覆い部を有する。この覆い部の存在により、カードが開口から抜け落ち難くなり、カードをトレイに容易に載せることができる。また、覆い部は、カードとは接触しないので、パッドとのショートも防止される。トレイを構成する板体は、上記の通り支持部と覆い部とでなるが、覆い部は支持部よりも例えば一段低くなるように一体に形成すればよく、コスト増が抑えられる。
【考案の効果】
【００１９】
以上の本考案によれば、コスト増を抑えた上で、トレイへのカードの容易載置とパッドとのショート防止を実現することができる。
【図面の簡単な説明】
【００２０】
【図１】一実施形態のカードコネクタの外観斜視図である。
【図２】図１に示す、トレイが差込位置に差し込まれている状態のカードコネクタからシェルを取り除いて示した斜視図である。
【図３】トレイを抜き取った状態のトレイとハウジング組立体を並べて示した分解斜視図である。
【図４】トレイとそのトレイから持ち上がった状態のメモリカードを示した斜視図である。
【図５】図３に示す矢印Ａ−Ａに沿う断面図である。
【図６】図５の円Ｒの部分の拡大図である。
【考案を実施するための形態】
【００２１】
以下、本考案の実施の形態を説明する。
【００２２】
図１は、本考案の一実施形態のカードコネクタの外観斜視図である。
【００２３】
このカードコネクタ１には、ハウジング組立体１０と、シェル２０と、トレイ３０が備えられている。また、ここには、トレイ３０に載置されたメモリカード１００も示されている。
【００２４】
ハウジング組立体１０とシェル２０との間には、トレイ３０が差し込まれる差込口１ａが形成されている。トレイ３０は、メモリカード１００を載せた状態のまま、その差込口１ａから、ハウジング組立体１０とシェル２０とで形成されている内部空間に差し込まれる。この図１は、トレイ３０がその内部空間に差し込まれた差込位置にある状態を示している。トレイ３０には、その左右の側面に切欠部３１が形成されており、トレイ３０が差し込まれると、その切欠部３１にシェル２０に形成されている片持ち梁形状のロック部２１が入り込む。ロック部２１が切欠部３１に入り込むとトレイ３０がこの図１に示す差込位置に差し込まれた状態から容易には抜け出ないようにロックされる。このトレイ３０の外壁３２は、このカードコネクタ１が搭載される機器の筐体の一部を成す。図１に示す、トレイ３０が差込位置に差し込まれた状態において、トレイ３０の外壁３２と差込口１ａとの間に距離があるのは、その機器におけるこのカードコネクタ１の搭載位置が、その機器の筐体表面から奥まっているためである。
【００２５】
図２は、図１に示す、トレイが差込位置に差し込まれている状態のカードコネクタからシェルを取り除いて示した斜視図である。
【００２６】
また、図３は、トレイを抜き取った状態のトレイとハウジング組立体を並べて示した分解斜視図である。
【００２７】
ハウジング組立体１０は、樹脂製のハウジング１１と、そのハウジング１１と一体に成形された金属製の複数のコンタクト１２（図３参照）を備えている。各コンタクト１２は、回路基板（図示せず）の表面に半田接続される基板接続部１２ａを有する。メモリカード１００の下面には電気的な接続を担うパッド（図示せず）が形成されている。これらのコンタクト１２は、トレイ３０に載置された差し込まれたメモリカード１００の下面のパッドに接触し、メモリカード１００と回路基板とを電気的に相互接続する役割を担っている。
【００２８】
また、このハウジング組立体１０には、スライダ１３とレバー１４が備えられている。スライダ１３は、ハウジング１１に対し、図２に示す位置と、図３に示す位置との間でスライド自在となっている。このスライダ１３は、図２に示す位置にあるときに外部のピン（図示せず）で押されて図３に示す奥に引っ込んだ位置にスライドする。
【００２９】
トレイ３０には、そのピンを差し込むための貫通孔３３が形成されており、またハウジング１１にもそのピンを受け入れる開口１１ａが形成されている。
【００３０】
また、レバー１４は、その中央部分がハウジング１１に回動自在に軸支されており、一端がスライダと干渉する位置、他端が差し込まれたトレイ３０と干渉する位置にある。このため、トレイ３０が差し込まれると、レバー１４はそのトレイ３０に押されて時計回りに回動し、スライダ１３を図２に示す位置にスライドさせる。トレイ３０の貫通孔３３からピンが差し込まれてスライダ１３が押されると、レバー１４は今度はスライダ１３に押されて反時計回りに回動してトレイ３０を押し出す。押出位置まで押し出されたトレイ３０は、その外壁３２が、搭載された機器から突出する。その後は、そのトレイ３０に指あるいは爪を掛け、トレイ３０が引き抜かれる。
【００３１】
図４は、トレイとそのトレイから持ち上がった状態のメモリカードを示した斜視図である。
【００３２】
トレイ３０の、メモリカード１００が載置される部分は、枠体３４と板体３５とで構成されている。枠体３４は、メモリカード１００の側面の形状に沿う形状を有しそのメモリカード１００の側面を取り巻いている。この枠体３４は、このトレイ３０へのメモリカード１００の載置のガイドとして作用する。また、この枠体３４は、載置されたメモリカード１００が不用意に横に動くのを規制する役割も担っている。
【００３３】
また、板体３５は、枠体３４から内側に広がり、載置されたメモリカード１００の下面と対面する部分である。この板体３５は、狭幅に形成されている。そして、このトレイ３０には広い開口３６が形成されている。この開口３６は、メモリカード１００の下面の広い中央領域を下方に露出させて、コンタクト１２（図３参照）をメモリカード１００の下面のパッドに接触させる開口である。
【００３４】
図５は、図３に示す矢印Ａ−Ａに沿う断面図である。
【００３５】
トレイ３０には、枠体３４とその枠体３４から内側に広がる板体３５が形成されている。尚、この図５には、トレイ３０の、奥側の梁３７（図３参照）を構成するリブ３７１があらわれている。
【００３６】
図６は、図５の円Ｒの部分の拡大図である。
【００３７】
トレイ３０の板体３５は、支持部３５１と覆い部３５２を有する。支持部３５１は、枠体３４から内側に広がり、メモリカード１００の下面の周縁領域に接してその周縁領域を支持する部分である。また、覆い部３５２は、メモリカード１００の下面から離間して支持部３５１からさらに内側に広がり、メモリカード１００の下面の、周縁領域に隣接する周縁隣接領域を覆う部分である。そしてこれら支持部３５１と覆い部３５２とからなる板部３５は、メモリカード１００の下面の、周縁隣接領域よりも内側の中央領域を露出させてコンタクト１２（図３参照）をメモリカード１００の下面のパッド１０１に接触させる開口３６を形成している。ここに示す例では、覆い部３５２は支持部３５１よりも１段低く形成され、これによりメモリカード１００のパッドとの接触が避けられている。
【００３８】
この図６には、最小面積のパッド１０１が示されている。このパッド１０１は、覆い部３５２と重なる位置まで広がっている可能性はあるが、支持部３５１まで広がることはない。覆い部３５２は支持部３５１よりも１段低く形成されているので、パッド１０１が覆い部３５２と重なっても覆い部３５２とは非接触であり、ショートのおそれはない。メモリカード１００の支持は支持部３５１が担っている。したがって、覆い部３５２はメモリカード１００が正しく載置された後は用を成さないことになる。ただし、この覆い部３５２が設けられていることによって、メモリカード１００をトレイ３０に載置しようとしたときに、そのメモリカード１００の開口３６からの抜け落ちを防ぎ、載置の作業を容易ならしめる役割を担っている。
【００３９】
この板体３５に、支持部３５１のほか覆い部３５２を設けるのは、このトレイ３０を製造するための型の形状の問題であり、従来と比べ製造工数は同一であり、コスト高となることは抑えられる。
【００４０】
なお、本実施形態では、覆い部３５２が支持部３５１より１段低く形成されているが、覆い部は支持部から開口に向って傾斜して延びてもよい。
【００４１】
ここでは、トレイを採用したカードコネクタの一例を説明したが、本考案のカードコネクタはこの例に限られるものではなく、トレイにカードを載せてそのカードを載せたトレイを差し込むタイプのカードコネクタに広く適用することができる。
【符号の説明】
【００４２】
１    カードコネクタ
１ａ    差込口
１０    ハウジング組立体
１１    ハウジング
１１ａ，３６    開口
１２    コンタクト
１３    スライダ
１４    レバー
２０    シェル
２１    ロック部
３０    トレイ
３１    切欠部
３２    外壁
３３    貫通孔
３４    枠体
３５    板体
３７    梁
１００    メモリカード
１０１    パッド
３５１    支持部
３５２    覆い部
３７１    リブ
【図１】
0003186801.tif 000003
【図２】
0003186801.tif 000004
【図３】
0003186801.tif 000005
【図４】
0003186801.tif 000006
【図５】
0003186801.tif 000007
【図６】
0003186801.tif 000008